(57)【要約】【目的】  リモコン機能を有する液晶モニターを使用し、ＴＶ等の受信装置やＶＴＲ等の受信装置と送受信し、液晶モニターにＴＶ映像を表示したり、ＶＴＲにＴＶ映像を記録したり、再生画を液晶モニターで表示できるようにした撮像装置を得る。【構成】  本発明の撮像装置は、ビデオカメラ本体１０１に設けられ且つ被写体を撮像する撮像部（ビデオカメラ機構部）と、その撮像部により撮像された撮像画像を表示する液晶パネル部１１７と、撮像画像を記録する記録部（ＶＴＲ機構部）と、ビデオカメラ本体に設けられると共に撮像画像の記録部への記録開始を制御するスタート／ストップボタン（第１の記録操作部）１０６と、液晶パネル部１１７の近傍に設けられると共に撮像画像の記録部への記録開始を制御するスタート／ストップボタン（第２の記録操作部）１３３と、を有する。【選択図】      図５ 
2006014361.tif 000002
【特許請求の範囲】
【請求項１】
撮像装置本体に設けられ且つ被写体を撮像する撮像部と、
前記撮像部により撮像された撮像画像を表示する表示部と、
前記撮像画像を記録する記録部と、
前記撮像装置本体に設けられると共に前記撮像画像の前記記録部への記録開始を制御する第１の記録操作部と、
前記表示部の近傍に設けられると共に前記撮像画像の前記記録部への記録開始を制御する第２の記録操作部と、を有することを特徴とする撮像装置。
【請求項２】
前記第１の記録操作部及び前記第２の記録操作部は、前記撮像画像の前記記録部への記録開始及び記録停止を制御することを特徴とする請求項１に記載の撮像装置。
【請求項３】
前記撮像部は、ズーム機能を有する光学系と、前記光学系のズーム状態を制御する第１のズーム操作部及び第２のズーム操作部と、を有し、
前記第１のズーム操作部及び前記第２のズーム操作部のいずれか一方は、前記表示部の近傍に配置されていることを特徴とする請求項１に記載の撮像装置。
【請求項４】
前記表示部の近傍には、画面の明るさを調整する明るさ調整部が配置されていることを特徴とする請求項１に記載の撮像装置。
【請求項５】
前記表示部の近傍には、当該表示部のオン／オフを切り換える切換操作部が配置されていることを特徴とする請求項１に記載の撮像装置。
【請求項６】
前記表示部は、前記撮像部および前記記録部が格納される前記撮像装置本体に対して着脱可能に構成されていることを特徴とする請求項１に記載の撮像装置。
【請求項７】
前記撮像装置本体には、制御信号を受信するための受信部が設けられ、
前記表示部は、前記受信部に対して制御信号を送信するための送信手段を有し、
前記表示部が前記撮像装置本体と分離した状態において、前記表示部の近傍に配置された記録操作部が操作されることにより、前記表示部は前記撮像装置本体に対して記録の開始または記録の停止を制御する制御信号を送信することを特徴とする請求項６に記載の撮像装置。
【発明の詳細な説明】
【技術分野】
【０００１】
本発明は、液晶モニターを利用して複数の受信装置と送受信できるようにした情報システムに用いることができる撮像装置に関し、詳しくは、液晶モニターにリモートコントロール機能（以下、単にリモコンという）を備え、このリモコンを操作してＴＶ（テレビジョン）やＶＴＲ（ビデオテープレコーダー）及びそのチューナと無線で送受信し、液晶モニターにＴＶ映像を表示したり、ＶＴＲにＴＶ映像を記録したり、再生画を表示できるようにした情報システムに使用可能な撮像装置である。
【背景技術】
【０００２】
従来、液晶モニターを有するビデオカメラ装置は多く提案されている。この液晶モニターはビデオカメラ本体に電気的に接続されて開閉自在であると共に、開放状態において角度変更可能に支持されているのが一般的であるが、液晶モニターをビデオカメラ本体から分離し、液晶モニターに備えたリモコンにより赤外線等を利用して無線で送受信し、液晶モニターを操作しビデオカメラをリモコン駆動して映像をモニタリングしながら撮影したり、ビデオカメラに記録された映像を再生画として液晶モニターでモニターできるようにしたものがある。
【特許文献１】特開平８−２０５０１６号公報
【特許文献２】特開平４−１０４５８０号公報
【０００３】
しかしながら、上述した特許文献１及び特許文献２は、いずれもビデオカメラ本体に対して液晶モニターが着脱可能にされ、液晶モニターをビデオカメラ本体から分離した状態において、液晶モニターに備えたリモコンにより赤外線等を利用して無線で送受信し、液晶モニターを操作しビデオカメラをリモコン駆動して映像をモニタリングしながら撮影したり、ビデオカメラに記録された映像を再生画として液晶モニターでモニターできるようにしたものであって、例えばリモコン機能を備えた液晶モニターを用いてＴＶやＶＴＲ及びそのチューナと無線で送受信し、液晶モニターにＴＶ映像を表示したり、ＶＴＲにＴＶ映像を記録したり、再生画を液晶モニターで見ることができるようにした技術は未だ存在しない。
【発明の開示】
【発明が解決しようとする課題】
【０００４】
本発明は、リモコン機能を有する液晶モニターを使用し、ＴＶ等の受信装置やＶＴＲ等の受信装置と送受信し、液晶モニターにＴＶ映像を表示したり、ＶＴＲにＴＶ映像を記録したり、再生画を液晶モニターで表示できるようにした情報システムに用いて好適な撮像装置を得ることを目的とする。
【課題を解決するための手段】
【０００５】
上述の目的を達成するため、本発明の撮像装置は、撮像装置本体に設けられ且つ被写体を撮像する撮像部と、その撮像部により撮像された撮像画像を表示する表示部と、撮像画像を記録する記録部と、撮像装置本体に設けられると共に撮像画像の記録部への記録開始を制御する第１の記録操作部と、表示部の近傍に設けられると共に撮像画像の記録部への記録開始を制御する第２の記録操作部と、を有することを最も主要な特徴とする。
【発明の効果】
【０００６】
上述したように構成した本発明の撮像装置では、リモコン等の操作装置を用い無線送受信装置を利用し、テレビ等の第１の受信装置またはＶＴＲのチューナ等の第２の受信装置とに赤外線等を利用した無線信号により選択的に送受信することができ、これにより、第１の受信装置からの映像信号を液晶モニター等の表示手段により表示することができたり、第２の受信装置からの映像信号を表示手段に表示することができる。
【０００７】
また、本発明の撮像装置では、リモコン等の操作装置を用い無線送受信装置を利用し、テレビ等の第１の受信装置またはＶＴＲ等の第２の受信装置とに赤外線等を利用した無線信号により選択的に送受信することができ、これにより、第１の受信装置からの映像信号を液晶モニター等の表示手段により表示することができたり、第２の受信装置に映像信号を記録し、この記録した映像信号を表示手段により再生表示することができる。
【０００８】
更に、本発明の撮像装置では、操作装置は、テレビ等の映像信号を受信する第１の受信装置と、ＶＴＲ等のチューナからの映像信号を受信する第２の受信装置とに赤外線等を利用した無線信号により選択的に切換えることができ、また、第１または第２の受信装置からの第１または第２の映像信号を赤外線等を利用した無線信号で送信し、第１または第２の映像信号を無線信号で受信する無線送受信装置を有し、無線送受信装置により受信した第１または第２の映像信号を液晶モニター等の表示手段により表示することができる。
【０００９】
また、本発明の撮像装置では、操作装置は、テレビ等の映像信号を受信する第１の受信装置と、ＶＴＲ等のチューナからの映像信号を受信する第２の受信装置とに赤外線等を利用した無線信号により選択的に切換えることができ、また、第１の受信装置が選択した第１の映像信号または第２の受信装置が再生した第２の映像信号を無線で送信し、第１または第２の映像信号を無線で受信する無線送受信装置を有し、無線送受信装置により受信した第１の映像信号または再生した第２の映像信号を液晶モニター等の表示手段により表示することができる。
【発明を実施するための最良の形態】
【００１０】
撮像部と表示部と記録部と第１および第２の記録操作部とを設け、リモコン等の操作装置を用い無線送受信装置を利用し、テレビ等の第１の受信装置またはＶＴＲのチューナ等の第２の受信装置とに赤外線等を利用した無線信号により選択的に送受信することにより、第１の受信装置からの映像信号を液晶モニター等の表示手段により表示することができたり、第２の受信装置からの映像信号を表示手段に表示することができる撮像装置を、簡単な構成によって実現した。
【００１１】
以下、本発明の撮像装置を用いた情報システムの実施の形態を図面を参照して説明する。
この実施の形態では操作装置となる液晶モニター１を単独で使用することができる情報システムの例であり、図１は一つの使用例であり、図２は情報システムのブロック構成図、図３は液晶モニター１の外観図を示す。
【００１２】
符号２は部屋の壁等に配置したＴＶチューナ３８を有する赤外線送受信器であり、この赤外線送受信器２が第２の送受信装置を構成している。赤外線送受信器２は、ＴＶチューナ３８からの画像信号及び音声信号を赤外線信号として伝送する。符号３は、第１の送受信装置を示す赤外線送受信器である。赤外線送受信器３は、ＴＶ４及び映像記録再生装置としての一例であるＶＴＲ５からの映像信号及び音声信号をそれぞれ赤外線信号として伝送する。
【００１３】
液晶モニター１は、図３で示したように回路が構成されている基板が内蔵されているモニター本体部６と、このモニター本体部６の背面側に表示手段である液晶画面７を有する液晶パネル部８と、モニター本体部６の上部には赤外線受光部９が設けてある。この赤外線受光部９はモニター本体部６に図示しないブラケットを介して支持した自在継手によって自由な角度方向へ回動可能になされている。
【００１４】
モニター本体部６にはスピーカ１０、このスピーカ１０の音量つまみ１１、ヘッドホン１２が接続されるヘッドホン端子１３、マイク１４を有している。また、モニター本体部６に備えた赤外線受光部９はこの例では本体部６の上部の幅に亘って設けられている。勿論、モニター本体部６の裏面には図示しないが赤外線発光素子が設けられている。
【００１５】
また、液晶パネル部８にはリモコン部１５を有し、このリモコン部１５にリモコンボタン１７、ナレーションボタン１８が設けられている。リモコン部１５は液晶パネル部７に対して接続部１９から分離され単独で使用可能である。尚、符号２０は液晶モニター表示オン／オフスイッチである。
【００１６】
次に、液晶モニター１の回路構成の一例を図２に示す。
液晶モニター１にはバッテリー２１を接続した電源回路２２を介してコントロール回路２３、バックライト電源部２４、液晶ドライブ回路２５に電源が供給される。バックライト電源部２４によってバックライト２６を点灯し液晶画面７を照明する。
【００１７】
バッテリー２１はモニター本体部１内に内蔵されている。液晶モニター１の赤外線受光部９は映像信号受光素子９ａと音声信号受光素子９ｂとからなり、映像信号受光素子９ａはデコーダ２７を介して液晶ドライブ回路２５に接続され、音声信号受光素子９ｂはデコーダ２８及びアンプ２９を介してスピーカ１０及びヘッドホン端子１３に接続されている。
【００１８】
符号３０は液晶モニター１のコントロール回路２３からエンコーダ３１を介して接続された赤外線発光素子である。また、コントロール回路２３にはチャンネル切換えボタン３２と、これとは別にＴＶ側端子３３、ＶＴＲ側端子３４、ＴＶチューナ側端子３５とに選択的に切り換えられるスイッチ３６とが接続されている。
【００１９】
ＴＶチューナの赤外線送受信器２は図２に示すように構成されている。すなわち、アンテナ３７が接続されたＴＶチューナ３８にはエンコーダ３９を介して映像信号を赤外線信号にして発射する赤外線発光素子４０と、エンコーダ４１を介して音声信号を赤外線信号にして発射する赤外線発光素子４２と、デコーダ４３を介して赤外線信号のチャンネル信号を受信する赤外線受信素子４４がある。この赤外線送受信器２の電源は家庭用のＡＣ電源が使用される。
【００２０】
一方、赤外線送受信器３にはＴＶ４からの映像信号出力端子４ａと音声信号出力端子４ｂとを有し、また、ＶＴＲ５からの映像信号出力端子５ａと音声信号出力端子５ｂとを有している。ＴＶ４とＶＴＲ５の映像信号出力端子４ａ，５ａは映像信号切換えスイッチ４５により切り換えでき、また、ＴＶ４とＶＴＲ５の音声信号出力端子４ｂ，５ｂは音声信号切換えスイッチ４６により切り換えできる。
【００２１】
これら映像信号切換えスイッチ４５及び音声信号切換えスイッチ４６はセレクタ４７によりＴＶ４側とＶＴＲ５側とに連動して切り換えられ、セレクタ４７はデコーダ４８を介して赤外線受光部４９と接続されている。
【００２２】
そして、上述した映像信号切換えスイッチ４５にはエンコーダ５０を介して映像信号を赤外線信号として発射する赤外線発光部５１を備え、音声信号切換えスイッチ４６にはエンコーダ５１を介して音声信号を赤外線信号として発射する赤外線発光部５２を備えている。尚、符号５３はＴＶ４のパワースイッチ／チャンネル用の受光窓、５４はＶＴＲ５のパワースイッチの受光窓である。
【００２３】
このように構成した情報システムでは、ＴＶチューナを利用してＴＶ番組を液晶モニター１でモニターする手順は、まず、液晶モニター１のスイッチ３６をＴＶチューナ側端子３５に接続すると共に、チャンネル切換えボタン３２を所定のチャンネルに選局することにより、コントロール回路２３からの電気信号が赤外線信号にエンコードされ赤外線発光素子３０から発光し、赤外線送受信器２の赤外線受光素子４４で受光される。そして、この赤外線信号はデコードされ電気信号となってＴＶチューナ３８に入力される。かくして選局されたチャンネルの映像信号及び音声信号はここで赤外線信号にエンコードされ、赤外線発光素子４０及び４２から発光し液晶モニター１の映像信号受光用素子９ａ及び音声信号受光用素子９ｂで受光され、その後、映像信号はデコードされ液晶ドライブ回路２５を経て液晶画面７でＴＶ放送をモニターすることができ、音声信号はデコードされアンプ２９を介してヘッドホン１２等で聴くことができる。
【００２４】
一方、ＴＶ４及びＶＴＲ５を利用してＴＶ番組やＶＴＲのチューナまたはＶＴＲの再生映像を液晶モニター１でモニターする手順は、液晶モニター１のスイッチ３６を例えばＶＴＲ側端子３４に接続することにより、電気信号が赤外線信号にエンコードされ赤外線発光素子３０から発光し、赤外線送受信器３の赤外線受光部４９で受光される。そして、この赤外線信号はデコードされ電気信号となってセレクタ４７を介して映像信号切換えスイッチ４５及び音声信号切換えスイッチ４６がＶＴＲ５側に接続される。かくして、ＶＴＲ５からの映像信号及び音声信号はそれぞれエンコードされ赤外線発光部５１及び５２から発光し、液晶モニター１の映像信号受光用素子９ａ及び音声信号受光用素子９ｂで受光され、その後、映像信号はデコードされ液晶ドライブ回路２５を経てモニター画面７でＶＴＲの再生画像をモニターすることができ、音声信号はデコードされアンプ２９を介してヘッドホン１２等で聴くことができる。
【００２５】
従って、上述したような使い方ができるため、家族でＴＶを見ているとき自分だけＶＴＲのチューナを使用してＴＶ放送の別の番組を液晶モニター１で見ることができたり、ＶＴＲに記録されている情報を再生画像として液晶モニター１でモニターすることができ便利である。
【００２６】
ここで、本発明の情報システムに使用される液晶モニターを利用してビデオカメラ装置に適用した場合の参考例について説明する。
【００２７】
〔参考例１〕
図４はビデオカメラ装置の正面側より見た全体の外観斜視図、図５は同じく背面側より見た全体の外観斜視図である。
【００２８】
ビデオカメラ装置はビデオカメラ機構部（撮像部）とＶＴＲ機構部（記録部）とが収容されたビデオカメラ本体１０１と、このビデオカメラ本体１０１の背面側に着脱可能に支持されている液晶モニター１０２とから構成されている。
【００２９】
まず、ビデオカメラ本体１０１の構成について説明する。
ビデオカメラ本体１０１の前面上部には撮影レンズ１０３やマイク１０４、第１のズーム操作部であるズーム切り換えボタン１０５、第１の記録操作部であるスタート／ストップボタン１０６があり、上部にビデオカメラ操作とＶＴＲ操作の切り換えを兼ねた電源スイッチ１０７があり、後面上部にはビューファインダー１０８とスピーカ１０９がある。
【００３０】
ビデオカメラ本体１０１の一部にはヒンジ１１０を支点として開閉可能のバッテリー蓋１１１があり、内部にビデオカメラ装置の電源となるここでは図示しないバッテリーが収容されている。また、ビデオカメラ本体１０１の背面は裏蓋１１２となり、つまみ１１３を操作することにより裏蓋１１２が開放され、ビデオカメラ本体１０１内に内蔵した図示しないＶＴＲ機構部に対してテープカセットを出し入れすることができる。
【００３１】
さらに、ビデオカメラ本体１０１の一側上方部には、ビデオカメラ本体１０１と液晶モニター１０２の相互間の信号のやり取りを赤外線を利用して授受するための赤外線送受信機構１１４が配置されている。この赤外線送受信機構１１４については後で詳細に説明する。
【００３２】
さて、ビデオカメラ本体１０１の背面に支持されている液晶モニター１０２は、回路が構成されている基板が内蔵されているモニター本体部１１５と、このモニター本体部１１５の背面側に液晶画面１１６を有する表示部である液晶パネル部１１７と、モニター本体部１１５の電源部１１８及びこの電源部１１８に接続された電源としてのバッテリー１１９とから構成されている。
【００３３】
上述した液晶モニター１０２をビデオカメラ本体１０１から分離した斜視図を図６に示し、また、液晶モニター１０２とビデオカメラ本体１０１との着脱機構を図７に示す。
【００３４】
モニター本体部１１５と液晶パネル部１１７とはその上端部においてヒンジ１２０により回動可能に結合され、モニター本体部１１５に対して液晶パネル部１１７をヒンジ１２０を回動支点として所定の回動角度で停止させることができる。また、モニター本体部１１５と液晶パネル部１１７とは図示しないフレキ基板により電気的に接続されている。
【００３５】
モニター本体部１１５の前面上部に一対のフック部１２１，１２１を有すると共に、モニター本体部１１５の前面下部にロックピン１２２を有し、ロックピン１２２はその途中に下部のみが平坦面となる縮径部１２２ａに形成してある。また、モニター本体部１１５の前面には多端子からなるコネクタプラグ１２３と、さらに、別の位置に送信手段である赤外線発光素子１２４を設けている。
【００３６】
一方、モニター本体部１１５には受信部である赤外線受光素子１２５が設けてある。この赤外線受光素子１２５はモニター本体部１１５にブラケット１２６を介して支持した自在継手１２７によって自由な角度方向へ回動可能になされている。１２８はモニター本体部１１５と赤外線受光素子１２５とを電気的に接続しているコードである。
【００３７】
また、モニター本体部１１５に対して電源部１１８は一体に固定され、この電源部１１８の背面側の筐体部分に図５に示すように上述したバッテリー１１９を着脱するためのロックつまみ１２９と、バッテリー１１９が充分使用可能であるとき点灯すると共に、残量が少ないときに点滅するインジケータランプ１３０と、液晶画面１１６の明るさ調整部である明るさ調整ダイヤル１３１を備えている。
【００３８】
また、モニター本体部１１５の背面下部には切換操作部である液晶モニター表示オン／オフスイッチ１３２と、ビデオカメラ本体１０１によるビデオ撮影の第２の記録操作部であるスタート／ストップボタン１３３と、第２のズーム操作部であるズームボタン１３４を備えている。
【００３９】
このように構成した液晶モニター１０２は、ビデオカメラ本体１０１へのモニター本体部１１５の接続は、モニター本体部１１５の上部のフック部１２１をビデオカメラ本体１０１の背面に形成されている凹部１３５に係入しながらロックピン１２２をビデオカメラ本体１０１の背面に設けられているロック孔１３６に挿入することにより、ロック孔１３６の内方側に配置されている図９に示すようなスナップばね１３７にロックピン１２２の縮径部１２２ａが係合されメカ的に結合することができる。
【００４０】
この際、コネクタプラグ１２３がビデオカメラ本体１０１側に設けられているコネクタジャック１３８に挿着され、モニター本体部１１５とビデオカメラ本体１０１とを電気的に接続することができる。尚、ビデオカメラ本体１０１へのモニター本体部１１５の接続状態においてロックピン１２２の下部の平坦部がロック孔１３６の孔底に接触させることによって、モニター本体部１１５は上下へのガタ付きを防止しコネクタプラグ１２３とコネクタジャック１３８の破損や電気的な接触不良を回避することができる。
【００４１】
次に、前述した赤外線送受信機構１１４の詳細な構成を図８について説明する。
筐体を構成する容器１３９内には円筒状の外筒１４０が固定され、この外筒１４０内に上下動可能の昇降筒１４１が収容されている。この昇降筒１４１から外筒１４０の一部に形成したガイド孔１４０ａを通じてアーム片１４２が突設されている。
【００４２】
そして、昇降筒１４１にはアクリル樹脂等からなる導光部材１４３と、この導光部材１４３の上部に２つの並行する赤外線発光ＬＥＤ素子１４４，１４４が設けられている。導光部材１４３は上部前面側に赤外線発光ＬＥＤ素子１４４の下部で該ＬＥＤ素子１４４と同一方向を向く赤外線の入射窓１４３ａと、入射窓１４３ａから入射した赤外線が直角に反射する反射面１４３ｂと、底面に反射面１４３ｂで反射した赤外線が出射する出射窓１４３ｃを有する。
【００４３】
これら導光部材１４３及び赤外線発光ＬＥＤ素子１４４は、導光部材１４３の入射窓１４３ａと出射窓１４３ｃ及び赤外線発光ＬＥＤ素子１４４の先端部が露出するように遮光カバーで覆われ送受信部１４５を構成している。そして、送受信部１４５は昇降筒１４１と円周方向に嵌合部１４６で嵌め合わされ、これによって送受信部１４５と共に上述した赤外線発光ＬＥＤ素子１４４と導光部材１４３が嵌合部１４６を回転部として円周方向へ回転可能である。
【００４４】
また、昇降筒１４１の底部と外筒１４０の底部との間にはコイルばね１４７が張設されており、このコイルばね１４７のばね力により昇降筒１４１と共に送受信部１４５で覆われた赤外線発光ＬＥＤ素子１４４と導光部材１４３が押し上げられ、赤外線発光ＬＥＤ素子１４４と導光部材１４３の入射窓１４３ａが容器１３９の上面の開口窓１３９ａから突出する。すなわち、容器１３９の開口窓１３９ａから突出状態の送受信部１４５の頭部をコイルばね１４７のばね力に抗して押し下げると、昇降筒１４１は図示しないロック機構により押し下げられた状態でロックされ、赤外線発光ＬＥＤ素子１４４と導光部材１４３の入射窓１４３ａが容器１３９の開口窓１３９ａ内に隠蔽され、この状態から送受信部１４５の頭部を再び押すと昇降筒１４１のロック機構が解除されて赤外線発光ＬＥＤ素子１４４と導光部材１４３の入射窓１４３ａが容器１３９の開口窓１３９ａから再び突出するいわゆるプッシュ・プッシユ式ロック機構となっている。
【００４５】
一方、容器１３９の底部には配線基板１４８がある。この配線基板１４８にはリモコン受光部ユニット１４９が設けられ、このリモコン受光部ユニット１４９に上述した導光部材１４３の入射窓１４３ａと対向する位置に赤外線受光素子１５０がある。また、上述した赤外線発光ＬＥＤ素子１４４，１４４から引き出されたコード１４４ａは配線基板１４８の所定の回路に配線されている。さらに、配線基板１４８上には上述した外筒１４０のアーム片１４２と対応する位置にマイクロスイッチ１５１が配置されている。
【００４６】
このように構成した赤外線送受信部１１４は、ビデオカメラ本体１０１に回動手段１５２を介して取り付けられ、この回動手段１５２は、詳しく図示しないが赤外線送受信機構１１４をビデオカメラ本体１０１に対して上下方向へのみ回動する場合や、必要に応じて上下方向と共に左右方向へも自由に回動する構成としてもよい。勿論、赤外線送受信機構１１４とビデオカメラ本体１０１とは回動手段１５２内を通して電気的に接続されている。
【００４７】
上述したビデオカメラ本体１０１及び液晶モニター１０２の回路構成の一例を図１０に示す。
ビデオカメラ本体１０１には符号１５３で示したバッテリーを接続した電源回路１５４を介してコントロール回路１５５、メカデッキ１５６、バックライト電源部１５７、コネクタプラグ１３８、映像・音声信号記録／再生回路１５８に電源が供給される。バックライト電源部１５７によってバックライト１５９を点灯しビューファインダー１０８の液晶表示装置１６０を照明する。
【００４８】
コントロール回路１５５はメカデッキ１５６、映像・音声信号記録／再生回路１５８、ビデオカメラ本体１０１のスタート／ストップボタン１０６等のボタン群、デコーダ１６１を介して赤外線受光部１５０、マイクロスイッチ１５１、エンコーダ１６２を介して赤外線発光ＬＥＤ素子１４４にそれぞれ接続している。
【００４９】
映像・音声信号記録／再生回路１５８はメカデッキ１５６、液晶ドライブ回路１６３を介してビューファインダー１０８の液晶表示装置１６０、エンコーダ１６２を介して赤外線発光ＬＥＤ素子１４４にそれぞれ接続され、また、映像・音声信号記録／再生回路１５８からの音声信号はアンプ１６４を介してスピーカ１０９に出力され、映像信号はコネクタプラグ１３８に出力される。
【００５０】
また、撮影レンズ１０３からの被写体像はＣＣＤ１６５により映像信号に変換され、アンプ１６６及び映像信号処理回路１６７を介して映像・音声信号記録／再生回路１５８に入力される。さらに、マイク１０４に入力した音声はアンプ１６８及び音声信号処理回路１６９を介して映像・音声信号記録／再生回路１５８に入力される。
【００５１】
一方、液晶モニター１０２にはバッテリー１１９を接続した電源部１１８の電源回路１７０を介してコントロール回路１７１、バックライト電源部１７２、液晶ドライブ回路１７３、コネクタジャック１２３、インジケータランプ１３０に電源が供給される。バックライト電源部１７２によってバックライト１７４を点灯し液晶画面１１６を照明する。
【００５２】
コントロール回路１７１は液晶ドライブ回路１７３、モニター表示オン／オフスイッチ１３２に接続されている。また、液晶ドライブ回路１７３はデコーダ１７５を介して赤外線受光素子１２５、コネクタジャック１２３、液晶画面の明るさ調整つまみ１３１に接続されている。
【００５３】
符号１７６は液晶モニター１０２のモニター本体部１１５に内蔵されたリモコン回路であり、電源としては上述したバッテリー１１９とは別にボタン電池１７７を使用している。そして、ビデオ撮影のスタート／ストップボタン１３３等の操作ボタンとエンコーダ１７８を介して赤外線発光素子１２４に接続されている。
【００５４】
次に動作について説明する。
ビデオカメラ本体１０１に液晶モニター１０２を接続した使用状態では、液晶モニター１０２のコネクタプラグ１２３とビデオカメラ本体１０１のコネクタジャック１３８とが電気的に接続されることになるため、ビデオ撮影時における映像信号はビデオカメラ本体１０１側から直接、液晶モニター１０２の液晶画面１１６にモニターでき、ビデオカメラ装置の通常の使用形態として使用することができる。
【００５５】
また、上述した通常の使用状態においてはビデオカメラ本体１０１側の電源回路１５４と、液晶モニター１０２側の電源回路１７０は接続されることになり、このため、それぞれのバッテリー１５３，１１９は共通してビデオカメラ本体１０１と液晶モニター１０２に供給することになる。ただし、両バッテリー１５３，１１９の電圧値が極端に異なるときは高い電圧値のバッテリー電圧を降下させる、いわゆる公知のシャットダウン回路を設けるようにしてもよい。
【００５６】
また、液晶モニター１０２の電源回路１７０はビデオカメラ本体１０１のコントロール回路１５５が常にチェックしており、従って、ビデオカメラ本体１０１の電源をオフ状態にすることで、当該コントロール回路１５５がこれを感知して液晶モニター１０２の電源回路１７０を自動的にオフ状態にするように構成されている。
【００５７】
さて、次にビデオカメラ本体１０１に対して液晶モニター１０２をメカ的に分離した状態で、ビデオカメラ本体１０１によるビデオ映像を液晶モニター１０２でモニターしたり、液晶モニター１０２でビデオカメラ本体１０１を制御する動作を図９及び図１０について説明する。
【００５８】
図９において、使用に当たってはまず、ビデオカメラ本体１０１側の電源スイッチ１０７を投入すると共に、赤外線送受信機構１１４の送受信部１４５の頭部を押して赤外線発光ＬＥＤ素子１４４及び導光部材１４３の入射窓１４３ａを容器１３９の開口窓１３９ａから突出させ、赤外線発光ＬＥＤ素子１４４からの赤外線信号の発光及び液晶モニター１０２からの赤外線信号の入射窓１４３への飛び込みを可能としている。ここで、赤外線送受信機構１１４は送受信部１４５が容器１３９内に押し込まれてロックされた状態ではアーム片１４２がマイクロスイッチ１５１を動作し、コントロール回路１５５を制御して赤外線発光ＬＥＤ素子１４４からの赤外線信号の発生を停止し、また、赤外線受光素子１５０へ入射窓１４３からの赤外線信号の受光もしないようにしている。
【００５９】
図９の例ではビデオカメラ本体１０１のビデオ撮影方向とは反対側に送受信部１４５を向け、この送受信部１４５に対して液晶モニター１０２の赤外線受光素子１２５が対向するようにする。
【００６０】
かくして、液晶モニター１０２のスタート／ストップボタン１３３を操作して液晶モニター表示オン／オフスイッチ１３２を操作すると、リモコン回路１７６からの電気信号は赤外線信号にエンコードされ赤外線発光素子１２４から発光される。この赤外線信号はビデオカメラ本体１０１の図８に示した赤外線送受信機構１１４の入射窓１４３ａから導光部材１４３内に入射し、導光部材１４３の反射面１４３ｂを直角に反射して出射窓１４３ｃから赤外線受光素子１５０に入射する。そして、赤外線信号は再び電気信号にデコードされコントロール回路１５５により制御され、映像・音声信号記録／再生回路１５８を経て、ビデオ撮影の場合には映像信号が赤外線信号にエンコードされ赤外線発光ＬＥＤ素子１４４から赤外線信号となって発光され、液晶モニター１０２の赤外線受光素子１２５で受光される。そして、この赤外線信号は映像信号にデコードされ液晶ドライブ回路１７３を経て液晶画面１１６で映像信号をモニターすることができると共に、同時にメカデッキ１５６を駆動してビデオ映像の録画をすることができる。
【００６１】
また、ビデオ撮影中に液晶モニター１０２のズームボタン１３４を操作することによって、上述した操作と同様に当該赤外線信号がビデオカメラ本体１０１で受信されズーム撮影を行うことができる。
【００６２】
尚、液晶モニター１０２の赤外線発光素子１２４は赤外線受光素子１２５より十分後ろにして赤外線発光素子１２４からの信号が赤外線受光素子１２５に飛び込まない位置にすることが必要である。すなわち、赤外線発光素子１２４からの信号が赤外線受光素子１２５に飛び込むと、ノイズとなってモニター画面の画像を乱して見にくくなるからである。
【００６３】
また、液晶モニター１０２のリモコン回路１７６の電池は本来の電源としてのバッテリー１１９とは別にすることによって、バッテリー１１９が空になってもリモコン回路の電池によってビデオカメラ本体１０１を制御できるという利点がある。また、リモコン回路１７６の駆動には矩形波を使用することによって、電源を共通にした場合にノイズとなって信号に妨害を与えやすいといった問題を回避することができる。
【００６４】
図１１にビデオカメラ装置の一つの使用例を示す。
この例は結婚式の披露宴でビデオ撮影している状態である。一般にはこのような場合は撮影者はビデオカメラのファインダーを覗いたり、液晶画面を見ながらビデオ撮影するのが忙しくて食事をする余裕がなかったということが多いが、本例のビデオカメラ装置を使用すればビデオカメラ本体１を三脚１８０に支持した状態でテーブル上に乗せ、撮影レンズを新郎，新婦に向け、液晶モニター１０２のモニター画面を撮影者１８１が見ながら例えばズーム撮影等の操作ができ、同時に食事もすることができるというものである。
【００６５】
また、別の使い方としてはビデオカメラ本体１０１を大型の三脚に支持して部屋の隅に配置し、テーブルに座っている撮影者が液晶モニター１０２を操作しビデオ撮影することも可能である。このような使い方はたとえ、給仕人がビデオカメラの前を横切ってもワイヤレスであるため何等影響もない。また、モニター画面は一瞬見えなくなるが録画撮りはビデオカメラが行っているため続行して記録することができる。
【００６６】
〔参考例２〕
図１２及び図１３はビデオカメラ装置の別の参考例を示す斜視図で、図１２はビデオカメラ装置をファインダー側から見た斜視図、図１３はビデオカメラ本体１０１と液晶モニター１０２とを分離した斜視図であり、以下の説明では上述した参考例１と相違する部分についてのみ説明し、同一部分には同じ符号を付して重複する説明は省略する。
【００６７】
ビデオカメラ本体１０１はこの例では上部が凹部２０１に形成され、この凹部２０１内にビデオカメラ機構部２０２が配置され、ＶＴＲ機構部はビデオカメラ本体１０１内にある。ビデオカメラ機構部２０２は前面側に撮影レンズ２０３とマイク２０４を有し、背面側にビューファインダー２０５を有し、ビデオカメラ機構部２０２がパン・チルト機構によりパンニング動作とチルト動作可能に構成されている。尚、ビデオカメラ機構部２０２の上面は凹部２０１の左右のビデオカメラ本体１０１の部分より若干低くなっている。このため、ビデオカメラ本体１０１を誤って上部側から落下させたとしてもビデオカメラ機構部２０２を衝撃から保護することができる。
【００６８】
図１４にパン・チルト機構の詳細を示す。
ビデオカメラ本体の凹部２０１にはＵ字状のフレーム２０６が配置され、このフレーム２０６はその底部中央を凹部２０１の底面に支軸２０７によって水平方向に回転可能に支承されている。そして、フレーム２０６の両側から立設する脚片２０８，２０８の上端部に上述したビデオカメラ機構部２０２の両側面が支持軸２０９，２０９を介して上下方向に揺動可能に支承されている。
【００６９】
支持軸２０９には扇形ギア２１０が取り付けられ、この扇形ギア２１０に減速ギアの小径ギア２１１が噛み合い、そして、扇形ギアの大径ギア２１２にモータ２１３の出力ギア２１４が噛み合っている。すなわち、モータ２１３の回転駆動により出力ギア２１４から減速ギアの大径ギア２１２及び小径ギア２１１を介して扇形ギア２１０が支持軸２０９と共に該支持軸２０９を回動支点として上下方向に回動し、これによって、支持軸２０９に支承したビデオカメラ機構部２０２をいわゆるチルト方向（上下方向）に首振り動作させることができる。尚、チルト機構を構成する扇形ギア２１０、減速ギアの大小径ギア２１１，２１２、モータ２１３はビデオカメラ機構部２０２内に内蔵されている。
【００７０】
一方、上述したフレーム２０６の底部一側方には支軸２０７を回転中心とするギア部２１５が形成され、このギア部２１５に伝達ギア２１６を介して減速ギアの小径ギア２１７が噛み合い、減速ギアの大径ギア２１８にモータ２１９の出力ギア２２０が噛み合っている。すなわち、モータ２１９の回転駆動により出力ギア２２０から減速ギアの大径ギア２１８及び小径ギア２１７及び伝達ギア２１６を介してギア部２１５と共にフレーム２０６と共に支軸２０７を中心として回動し、これによって、ビデオカメラ機構部２０２をパンニング方向（左右方向）に首振り動作させることができる。尚、パン機構のうち伝達ギア２１６、減速ギアの大小径ギア２１７，２１８、モータ２１９はビデオカメラ本体１０１内に内蔵されている。
【００７１】
また、ビデオカメラ本体１０１の凹部２０１を構成する左右の本体部分の一部は赤外線を透過する赤色プラスチック等の窓部２２１，２２２からなり、この窓部２２１，２２２の内部に赤外線送受信部２２３，２２４が内蔵されている。一方の赤外線送受信部２２３は画像伝送用発光ＬＥＤ素子２２５と音声伝送用発光ＬＥＤ素子２２６とがそれぞれ一対となってビデオカメラ本体１０１の前方側と外方側と後方側との三方向に向くように配置されている。これらの下方には遮光板２２７を介在して音声信号受信用ＬＥＤ素子２２８が上述と同様にビデオカメラ本体１０１の前方側と外方側と後方側との三方向に向くように配置されている。さらに、その下方の本体部にはリモコン信号受光素子２２９が同様にビデオカメラ本体１０１の前方側と外方側と後方側との三方向に配置されている。
【００７２】
他方の赤外線送受信部２２４は上述した三方向の残りの一方向に向くように一対の画像伝送用発光ＬＥＤ素子２２５及び音声伝送用発光ＬＥＤ素子２２６と、音声信号受信用ＬＥＤ素子２２８と、リモコン信号受光素子２２９がそれぞれ配置されている。
【００７３】
さて、次に液晶モニター１０２の構成について説明する。
この液晶モニター１０２もビデオカメラ本体１０１と前述した参考例１と同様に着脱機構により分離可能であり、また、モニター本体部１１５に対して液晶パネル部１１７は回動可能である。
【００７４】
モニター本体部１１５にはスピーカ２３０、このスピーカ２３０の音量つまみ２３１、ヘッドホン２３２が接続されるヘッドホン端子２３３、マイク２３４を有している。また、モニター本体部１１５に備えた赤外線受光部１２５はこの例では本体部１１５の上部の幅に亘って設けられている。勿論、モニター本体部１１５の裏面には図示しないが赤外線発光素子が設けられている。
【００７５】
また、液晶パネル部１１７にはリモコン部２３５を有し、このリモコン部２３５に上述したパン・チルト機構を制御するジョイスティック２３６、リモコンボタン２３７、ナレーションボタン２３８が設けられている。リモコン部２３５は液晶パネル部１１７に対して接続部２３９から分離され単独で使用可能である。
【００７６】
上述したビデオカメラ本体１０１及び液晶モニター１０２の回路構成の一例を図１５に示す。尚、前述した参考例１の図１０で説明した回路構成と同一部分には同じ符号を付して重複する説明は省略し、相違する部分について説明する。
【００７７】
ビデオカメラ本体１０１の画像伝送用発光ＬＥＤ素子２２５及び音声伝送用発光ＬＥＤ素子２２６はそれぞれエンコーダ２４０及び２４１を介して映像・音声信号記録／再生回路１５８に接続され、音声信号受信用ＬＥＤ素子２２８はデコーダ２４２を介して音声ミックス回路２４３に接続され、この音声ミックス回路２４３は映像・音声信号記録／再生回路１５８と音声信号処理回路１６９との間に接続されている。また、リモコン信号受信素子２２９はデコーダ２４４を介してコントロール回路１５５に接続されている。さらに、コントロール回路１５５にはイニシャライズボタン２４５が接続され、このイニシャライズボタン２４５はビデオカメラ本体１０１のスタート／ストップボタン１０６の近傍に設けられている。
【００７８】
パン・チルト機構のモータ２１３，２１９はモータ駆動回路２４６により駆動され、このモータ駆動回路２４６は電源回路１５４に接続されていると共に、コントロール回路１５５からの信号により制御される。
【００７９】
一方、符号２４７は液晶モニター１０２の電源用のバッテリーであり、モニター本体部１１５内に内蔵されている。液晶モニター１０２の赤外線受光素子１２５は映像信号受光用素子１２５ａと音声信号受光用素子１２５ｂとからなり、映像信号受光用素子１２５ａはデコーダ２４８を介して液晶ドライブ回路１７３に接続され、音声信号受光用素子１２５ｂはデコーダ２４９及びアンプ２５０を介してスピーカ２３０及びヘッドホン端子２３３に接続されている。
【００８０】
また、赤外線発光素子は音声信号発光用素子１２４ａとリモコン信号発光用素子１２４ｂとからなり、音声信号発光用素子１２４ａはエンコーダ２５１及びアンプ２５２を介してマイク２３４に接続され、リモコン信号発光用素子１２４ｂはリモコン回路２５３に接続されている。リモコン回路２５３の電源は上述したバッテリー２４７とは別にボタン電池２５４を使用し、リモコン部２３５がエンコーダ２５５を介して上述したリモコン信号発光用素子１２４ｂに接続されている。
【００８１】
次に、動作について説明する。
ビデオカメラ本体１０１に液晶モニター１０２を接続した使用状態では、液晶モニター１０２のコネクタプラグ１２３とビデオカメラ本体１０１のコネクタジャック１３８とが電気的に接続されることになるため、ビデオ撮影時における映像信号はビデオカメラ本体１０１側から直接、液晶モニター１０２の液晶画面１１６にモニターでき、ビデオカメラ装置の通常の使用形態として使用することができる。また、この実施例では映像信号のモニターと共に音声信号も液晶モニター１０２のスピーカ２３０またはヘッドホン２３２で聴くこともできる。
【００８２】
また、上述した通常の使用状態においてはビデオカメラ本体１０１側の電源回路１５４と液晶モニター１０２側の電源回路１７０は接続され、液晶モニター１０２のバッテリー２４７はビデオカメラ本体１０１のバッテリー１５３で充電される状態となり、ビデオカメラ本体１０１から液晶モニター１０２を分離すると液晶モニター１０２は内蔵されているバッテリー２４７で駆動されるようになっている。
【００８３】
次にビデオカメラ本体１０１に対して液晶モニター１０２をメカ的に分離した状態で、ビデオカメラ本体１０１によるビデオ映像を液晶モニター１０２でモニターしたり、液晶モニター１０２でビデオカメラ本体１０１を制御する動作を図１３〜図１５について説明する。
【００８４】
図１３において、使用に当たってはまず、ビデオカメラ本体１０１側の図示しない電源スイッチを投入すると共に、液晶モニター１０２の液晶モニター表示オン／オフスイッチ１３２を操作すると、リモコン回路２５３からリモコン信号が赤外線信号にエンコードされリモコン信号発光用素子１２４ｂより発光する。この赤外線信号はビデオカメラ本体１０１の図１４に示したリモコン信号受信用素子２２９で受光されたあと、赤外線信号は電気信号にデコードされコントロール回路１５５により制御され、映像・音声信号記録／再生回路１５８を経て、ビデオ撮影の場合は映像信号が赤外線信号にエンコードされ画像伝送用発光ＬＥＤ素子２２５から発光する。そして、この赤外線信号は液晶モニター１０２の映像信号受光用素子１２５で受光されたあと、赤外線信号は電気信号にデコードされ液晶ドライブ回路１７３を経て液晶画面１１６で映像信号をモニターすることができると共に、映像・音声信号記録／再生回路１５８からの信号により同時にメカデッキ１５６を駆動してビデオ映像の録画をすることができる。
【００８５】
また、映像・音声信号記録／再生回路１５８からの音声信号は赤外線信号にエンコードされ音声伝送用発光ＬＥＤ素子２２６から発光する。この赤外線信号は音声信号受信用素子１２５ｂで受光されたあと、電気信号にデコードされ音声信号をスピーカ２３０またはヘッドホン２３２で聴くことができる。
【００８６】
また、ビデオ撮影中に液晶モニター１０２のナレーションボタン２３８を押しながらマイク２３４から音声を入力すると、この音声が赤外線信号にエンコードされ音声信号用発光素子１２４ａから発光する。この赤外線信号は音声信号受信用ＬＥＤ素子２２８で受光されたあと、電気信号にデコードされ音声ミックス回路２４３を経て映像・音声信号記録／再生回路１５８にミキシングされメカデッキ１５６のテープにそのまま記録される。すなわち、ナレーションされたミックス音声信号は上述した音声信号とミキシングされ液晶モニター１０２のヘッドホン２３２でモニターすることができる。
【００８７】
さらに、ビデオ撮影中においてリモコン部２３５のジョイスティック２３６を操作することで、当該信号が赤外線信号にエンコードされリモコン信号発光用素子１２４ｂからリモコン信号受光素子２２９に受光されここで、赤外線信号がデコードされコントロール回路１５５を経てモータ駆動回路２４６を駆動制御し、ビデオカメラ機構部２０２をパンニングまたはチルト動作させることができる。
【００８８】
ここで、参考例２の一つの使用例を図１６について説明する。
例えば、ドライブの途中で自動車２５６を停車しビデオカメラ本体１０１をボンネット等の平坦な上に乗せ、家族全員が景色を背景としてビデオカメラ機構部２０２の撮影レンズに正対し、撮影者が液晶モニター１０２を持ちリモコン部２３５を操作して画角の確認やズームを行いながらビデオ撮影することができる。
【００８９】
このような使用方法が行えることで、従来のビデオカメラでは撮影者が撮影画面に登場することができず、従って、後でビデオを再生して見たとき撮影者が登場しなかったといった問題が解消できる。
【００９０】
因みに従来の場合、家族全員が撮影画面に登場できる方法としては、ビデオカメラを三脚に支持し画角を確認してから録画をリモコンでスタートさせ、操作者が撮影画面に加わるといった大変繁雑なものであったが、ビデオカメラ装置を使用することで、これらの問題を一挙に解決することができるといった利点がある。
【００９１】
尚、参考例２の場合ではビデオカメラ本体１０１の画像伝送用発光ＬＥＤ素子２２５、音声伝送用発光ＬＥＤ素子２２６、音声信号受信用ＬＥＤ素子２２８及びリモコン信号受光素子２２９は参考例ではビデオカメラ本体１０１に対して４方向に向くように配置したことで、ビデオカメラ本体１をどの方向からでも液晶モニター１０２で操作することができる。尚、各素子の性能やビデオカメラの使用目的に応じて素子の方向を８方向や１２方向にしてもよいし、あるいは３方向や２方向にすることであってもよい。
【００９２】
また、ビデオカメラ機構部２０２はパン・チルト動作させた状態、つまりビデオカメラ本体１０１に対してビデオカメラ機構部２０２が所定角度方向を向いている状態において、イニシャライズボタン２４５を操作することで、コントロール回路１５５による制御によりビデオカメラ機構部２０２がビデオカメラ本体１０１に対して本来の正面位置に復帰させることができる。これによって、通常のビデオカメラを使用するのと同じ感覚で使えることができる。
【００９３】
また、参考例２のビデオカメラ装置はビデオカメラ本体１０１は動かず、ビデオカメラ機構部２０２のみがパン・チルト動作するようにしたが、別の機構としてビデオカメラ本体１の下部にパン・チルト機構を配置してビデオカメラ全体をパン・チルト動作させるようにしてもよい。
【００９４】
また、液晶パネル部１１７のモニター映像は液晶モニター表示オン／オフスイッチ１３２によりオン・オフ動作できるようにしてあるが、この液晶表示オン／オフスイッチ１３２を押しボタン式にし、ボタンを押している間だけモニター画面にモニターできるようにして何がビデオカメラに撮られているかを確認し、ボタンを離すとモニターを消すと共に赤外線信号の伝送も停止するようにすれば、ビデオカメラ本体１０１及び液晶モニター１０２のバッテリーの消費を節約することができる。
【００９５】
さらに、リモコン部２３５は液晶パネル部１１７の接続部２３９から取り外し、小さなリモコンとして単独で使用することもでき、これによって、持ち運びが容易となる。
【００９６】
本発明は、上述しかつ図面に示した実施例に限定されるものでなく、その要旨を逸脱しない範囲内で種々の変形実施が可能である。
【００９７】
本発明の実施の形態において、液晶モニター１とＴＶのチューナ２やＶＴＲ５との送受信のリモコン信号は赤外線を使用した場合について説明したが、その他、赤外線以外の信号を使用して送受信することであってもよい。
【００９８】
以上説明したように、本発明の撮像装置では、リモコン等の操作装置を用い無線送受信装置を利用し、テレビ等の第１の受信装置またはＶＴＲのチューナ等の第２の受信装置とに赤外線等を利用した無線信号により選択的に送受信することができ、第１の受信装置からの映像信号を液晶モニター等の表示手段により表示することができたり、第２の受信装置からの映像信号を表示手段に表示することができるようにしたので、家族でＴＶを見ているとき自分だけＶＴＲ等のチューナからＴＶ放送の別の番組を表示手段を利用して見ることができるといった効果がある。
【００９９】
また、本発明の撮像装置では、リモコン等の操作装置を用い無線送受信装置を利用し、テレビ等の第１の受信装置またはＶＴＲ等の第２の受信装置とに赤外線等を利用した無線信号により選択的に送受信することができ、第１の受信装置からの映像信号を液晶モニター等の表示手段により表示することができたり、第２の受信装置に映像信号を記録し、この記録した映像信号を表示手段により再生表示することができるようにしたので、ＶＴＲ等に記録されている情報を再生画像として表示手段を利用してモニターすることができといった効果がある。
【０１００】
更に、本発明の撮像装置では、操作装置は、テレビ等の映像信号を受信する第１の受信装置と、第２の映像信号を受信するＶＴＲのチューナ等からの映像信号を受信する第２の受信装置とに赤外線等を利用した無線信号により選択的に切換えることができ、また、第１または第２の受信装置からの第１または第２の映像信号を赤外線等を利用した無線信号で送信し、第１または第２の映像信号を無線信号で受信する無線送受信装置を有し、無線送受信装置により受信した第１または第２の映像信号を液晶モニター等の表示手段により表示することができ、家族でＴＶを見ているとき自分だけＶＴＲ等のチューナからＴＶ放送の別の番組を表示手段を利用して見ることができるといった便利なリモコンとなる。
【０１０１】
また、本発明の撮像装置では、操作装置は、テレビ等の映像信号を受信する第１の受信装置と、第２の映像信号を受信するＶＴＲのチューナ等からの映像信号を受信する第２の受信装置とに赤外線等を利用した無線信号により選択的に切換えることができ、また、第１の受信装置が選択した第１の映像信号または第２の受信装置が再生した第２の映像信号を無線で送信し、第１または第２の映像信号を無線で受信する無線送受信装置を有し、無線送受信装置により受信した第１の映像信号または再生した第２の映像信号を液晶モニター等の表示手段により表示することができ、ＶＴＲ等に記録されている情報を再生画像として表示手段を利用してモニターすることができといった便利なリモコンとなる。
【図面の簡単な説明】
【０１０２】
【図１】本発明の撮像装置による情報システムの使用例の説明図である。
【図２】同じく情報システムの液晶モニターとＴＶチューナ及びＴＶ／ＶＴＲとのブロック回路図である。
【図３】同じく情報システムの液晶モニターの外観斜視図である。
【図４】参考例１のビデオカメラ装置を正面より見た外観斜視図である。
【図５】参考例１のビデオカメラ装置を背面より見た外観斜視図である。
【図６】参考例１の液晶モニターの斜視図である。
【図７】参考例１のビデオカメラ本体と液晶モニターとの着脱構成図である。
【図８】参考例１の赤外線送受信機構の断面図である。
【図９】参考例１のビデオカメラ本体と液晶モニターとのリモコン操作状態の斜視図である。
【図１０】参考例１のビデオカメラ本体と液晶モニターとのブロック回路図である。
【図１１】参考例１の使用例の説明図である。
【図１２】参考例２のビデオカメラ装置の外観斜視図である。
【図１３】参考例２のビデオカメラ本体と液晶モニターとのリモコン操作状態の斜視図である。
【図１４】参考例２のパン・チルト機構の斜視図である。
【図１５】参考例２のビデオカメラ本体と液晶モニターとのブロック回路図である。
【図１６】参考例２の使用例の説明図である。
【符号の説明】
【０１０３】
１，１０２…液晶モニター（操作装置）、  ２…赤外線送受信器（ＴＶチューナ）、  ３…赤外線送受信器、  ４…ＴＶ、  ５…ＶＴＲ、  ６…モニター本体部、  ７…液晶画面（表示手段）、  ８，１１７…液晶パネル部（表示部）、  ９…赤外線受光部、  １５…リモコン部、  ２１…バッテリー、  ３０…赤外線発光素子、  ３６…スイッチ、  ４０，４２…赤外線発光素子、  ４４…赤外線受光素子、  ４５，４６…スイッチ、  ５１…赤外線発光部、  １０１…ビデオカメラ本体（撮像装置本体）、  １０５…ズームボタン（第１のズーム操作部）、  １０６…スタート／ストップボタン（第１の記録操作部）、  １２４…赤外線発光素子（送信手段）、  １２５…赤外線受光素子（受信部）、  １３１…明るさ調整ダイヤル（明るさ調整部）、  １３２…表示オン／オフスイッチ（切換操作部）、  １３３…スタート／ストップボタン（第２の記録操作部）、  １３４…ズームボタン（第２のズーム操作部）
【図１】
2006014361.tif 000003
【図２】
2006014361.tif 000004
【図３】
2006014361.tif 000005
【図４】
2006014361.tif 000006
【図５】
2006014361.tif 000007
【図６】
2006014361.tif 000008
【図７】
2006014361.tif 000009
【図８】
2006014361.tif 000010
【図９】
2006014361.tif 000011
【図１０】
2006014361.tif 000012
【図１１】
2006014361.tif 000013
【図１２】
2006014361.tif 000014
【図１３】
2006014361.tif 000015
【図１４】
2006014361.tif 000016
【図１５】
2006014361.tif 000017
【図１６】
2006014361.tif 000018